(57)【要約】【課題】電力が必要以上に消費されるのを回避する。【解決手段】複数の時分割線のいずれかを示す時分割情報と、複数のデータ線のそれぞれの選択の有無を示す複数の選択有無情報とを受信し、受信した時分割情報に応じて複数の時分割線のそれぞれに電圧を印加するとともに、受信した複数の選択有無情報のそれぞれに応じて複数のデータ線のそれぞれに電圧を印加することにより、複数のデータ線のそれぞれと複数の時分割線のそれぞれとが電気的に交わる位置に設けられた複数の圧電素子のそれぞれを駆動させる駆動回路において、受信した複数の選択有無情報のすべてが選択無を示している場合、複数の時分割線および複数のデータ線の電圧値を変化させないようにする。【選択図】図６
2013046974.tif 000002
【特許請求の範囲】
【請求項１】
複数の時分割線のいずれかを示す時分割情報と、複数のデータ線のそれぞれの選択の有無を示す複数の選択有無情報とを受信し、前記受信した時分割情報に応じて前記複数の時分割線のそれぞれに電圧を印加するとともに、前記受信した複数の選択有無情報のそれぞれに応じて前記複数のデータ線のそれぞれに電圧を印加することにより、前記複数のデータ線のそれぞれと前記複数の時分割線のそれぞれとが電気的に交わる位置に設けられた複数の圧電素子のそれぞれを駆動させる駆動回路において、
前記受信した複数の選択有無情報のすべてが選択無を示している場合、前記複数の時分割線および前記複数のデータ線の電圧値を変化させないようにする駆動回路。
【請求項２】
請求項１に記載の駆動回路において、
前記受信した時分割情報に応じ、前記複数の時分割線のそれぞれに印加する電圧として第１または第２の電圧を選択する時分割線制御部と、
前記受信した複数の選択有無情報に応じ、前記複数のデータ線のそれぞれに印加する電圧として第３または第４の電圧を選択するデータ線制御部と、を有し、
前記時分割線制御部は、前記受信した複数の選択有無情報のすべてが選択無を示している場合、前記第１および第２の電圧のうち、前記複数の時分割線のそれぞれの電圧値を変化させない方の電圧を選択し、
前記データ線制御部は、前記受信した複数の選択有無情報のすべてが選択無を示している場合、前記第３および第４の電圧のうち、前記複数のデータ線のそれぞれの電圧値を変化させない方の電圧を選択する駆動回路。
【請求項３】
請求項２に記載の駆動回路において、
前記複数の選択有無情報のそれぞれは、前記複数のデータ線のそれぞれと対応付けられ、
前記第１および第４の電圧の電圧値は、０（Ｖ）であり、
前記時分割線制御部は、前記受信した複数の選択有無情報のすべてが選択無を示している場合、前記複数の時分割線のそれぞれに印加する電圧として前記第１の電圧を選択し、
前記データ線制御部は、前記受信した複数の選択有無情報のそれぞれが選択無を示している場合、前記複数のデータ線のうち当該選択有無情報に対応するデータ線に印加する電圧として前記第４の電圧を選択する駆動回路。
【請求項４】
請求項２に記載の駆動回路において、
前記第１の電圧の電圧値は、０（Ｖ）であり、
前記時分割線制御部は、前記受信した複数の選択有無情報のすべてが選択無を示している場合、前記複数の時分割線のそれぞれに印加する電圧として前記第１の電圧を選択し、
前記データ線制御部は、前記複数のデータのそれぞれに印加する電圧として電圧値が０（Ｖ）である第５の電圧を選択することが可能であり、前記受信した複数の選択有無情報のすべてが選択無を示している場合、前記複数のデータ線のそれぞれに印加する電圧として前記第５の電圧を選択する駆動回路。
【請求項５】
請求項１に記載の駆動回路において、
前記受信した複数の選択有無情報のすべてが選択無を示している場合、前記複数の時分割線と、前記複数のデータ線との少なくとも一方をハイインピーダンスにする駆動回路。
【請求項６】
複数の時分割線のいずれかを示す時分割情報と、複数のデータ線のそれぞれの選択の有無を示す複数の選択有無情報とを受信し、前記受信した時分割情報に応じて前記複数の時分割線のそれぞれに電圧を印加するとともに、前記受信した複数の選択有無情報のそれぞれに応じて前記複数のデータ線のそれぞれに電圧を印加することにより、前記複数のデータ線のそれぞれと前記複数の時分割線のそれぞれとが電気的に交わる位置に設けられた複数の圧電素子のそれぞれを駆動させる駆動回路における駆動方法であって、
前記受信した複数の選択有無情報のすべてが選択無を示している場合、前記複数の時分割線および前記複数のデータ線の電圧値を変化させないようにする処理を有する駆動方法。
【請求項７】
請求項６に記載の駆動方法において、
前記処理は、
前記受信した複数の選択有無情報のすべてが選択無を示している場合、前記複数の時分割線のそれぞれに印加する電圧として選択することが可能な第１および第２の電圧のうち、前記複数の時分割線のそれぞれの電圧値を変化させない方の電圧を選択する第１の選択処理と、
前記受信した複数の選択有無情報のすべてが選択無を示している場合、前記複数のデータ線のそれぞれに印加する電圧として選択することが可能な第３および第４の電圧のうち、前記複数のデータ線のそれぞれの電圧値を変化させない方の電圧を選択する第２の選択処理と、を含む駆動方法。
【請求項８】
請求項７に記載の駆動方法において、
前記複数の選択有無情報のそれぞれは、前記複数のデータ線のそれぞれと対応付けられ、
前記第１および第４の電圧の電圧値は、０（Ｖ）であり、
前記第１の選択処理は、前記受信した複数の選択有無情報のすべてが選択無を示している場合、前記複数の時分割線のそれぞれに印加する電圧として前記第１の電圧を選択する処理であり、
前記第２の選択処理は、前記受信した複数の選択有無情報のそれぞれが選択無を示している場合、前記複数のデータ線のうち当該選択有無情報に対応するデータ線に印加する電圧として前記第４の電圧を選択する処理である駆動方法。
【請求項９】
請求項７に記載の駆動方法において、
前記第１の電圧の電圧値は、０（Ｖ）であり、
前記第２の選択処理では、前記複数のデータのそれぞれに印加する電圧として電圧値が０（Ｖ）である第５の電圧を選択することが可能であり、
前記第１の選択処理は、前記受信した複数の選択有無情報のすべてが選択無を示している場合、前記複数の時分割線のそれぞれに印加する電圧として前記第１の電圧を選択する処理であり、
前記第２の選択処理は、前記受信した複数の選択有無情報のすべてが選択無を示している場合、前記複数のデータ線のそれぞれに印加する電圧として前記第５の電圧を選択する処理である駆動方法。
【請求項１０】
請求項６に記載の駆動方法において、
前記処理は、前記受信した複数の選択有無情報のすべてが選択無を示している場合、前記複数の時分割線と、前記複数のデータ線との少なくとも一方をハイインピーダンスにする処理である駆動方法。
【発明の詳細な説明】
【技術分野】
【０００１】
本発明は、複数の圧電素子のそれぞれを駆動させる駆動回路および駆動方法に関する。
【背景技術】
【０００２】
描画データに応じた電圧値の電圧を複数の圧電素子のそれぞれに印加して、その複数の圧電素子のそれぞれを変形させることにより、その圧電素子に対応するノズルからインクを吐出させて画像を形成するインクジェットプリンタの記録ヘッドが知られている。
【０００３】
一方、近年、高画質かつ高速に印刷を行うことが求められている。これを実現するためには、インクを吐出するノズルを高密度に多数配置することが必要になる。この場合、多数の圧電素子のそれぞれを駆動させるための配線を狭い場所から引き出すことが必要であり、実装が困難である。
【０００４】
この困難性を解決するための技術が例えば、特許文献１および特許文献２に開示されている。
【０００５】
特許文献１および特許文献２に開示されている技術では、複数の時分割線のそれぞれと複数のデータ線のそれぞれとが電気的に交わる位置に複数の圧電素子のそれぞれを設ける。そして、複数の圧電素子のそれぞれに形成された電極の一方を時分割線に接続し、他方をデータ線に接続する。これにより、配線および駆動回路の数を低減することができる。
【先行技術文献】
【特許文献】
【０００６】
【特許文献１】特開平１０−２５００７４号公報
【特許文献２】特開２００８−６６８５号公報
【発明の概要】
【発明が解決しようとする課題】
【０００７】
上述した特許文献１に開示されている技術では、非選択の共通電極の電圧値が一定とならず、これに接続されている圧電素子に対応するノズルからインクが誤吐出してしまう場合がある。
【０００８】
このインクの誤吐出は、上述した特許文献２に開示されている技術を用いれば回避することができる。
【０００９】
特許文献２に開示されている技術では、複数の圧電素子のうち、駆動させる時分割線と選択されたデータ線とに接続された圧電素子以外の圧電素子に対応するノズルからインクが誤吐出されないようにする。具体的には、駆動させない非駆動の時分割線に、駆動させる時分割線に印加する電圧である駆動電圧の電圧値とは異なる電圧値の電圧を印加する。また、選択されていない非選択のデータ線に、選択されたデータ線に印加する電圧である選択電圧の電圧値とは異なる電圧値の電圧を印加する。これにより、インクの誤吐出を回避することができる。
【００１０】
しかしながら、特許文献２に開示されている技術を用いた場合、インクを吐出しないノズルに対応する圧電素子にも電圧が印加されることになり、電力が必要以上に消費されてしまうという問題点がある。
【００１１】
本発明は、電力が必要以上に消費されるのを回避することを可能にする駆動回路および駆動方法を提供することを目的とする。
【課題を解決するための手段】
【００１２】
上記目的を達成するために本発明の駆動回路は、複数の時分割線のいずれかを示す時分割情報と、複数のデータ線のそれぞれの選択の有無を示す複数の選択有無情報とを受信し、前記受信した時分割情報に応じて前記複数の時分割線のそれぞれに電圧を印加するとともに、前記受信した複数の選択有無情報のそれぞれに応じて前記複数のデータ線のそれぞれに電圧を印加することにより、前記複数のデータ線のそれぞれと前記複数の時分割線のそれぞれとが電気的に交わる位置に設けられた複数の圧電素子のそれぞれを駆動させる駆動回路において、
前記受信した複数の選択有無情報のすべてが選択無を示している場合、前記複数の時分割線および前記複数のデータ線の電圧値を変化させないようにする。
【００１３】
また、上記目的を達成するために本発明の駆動方法は、複数の時分割線のいずれかを示す時分割情報と、複数のデータ線のそれぞれの選択の有無を示す複数の選択有無情報とを受信し、前記受信した時分割情報に応じて前記複数の時分割線のそれぞれに電圧を印加するとともに、前記受信した複数の選択有無情報のそれぞれに応じて前記複数のデータ線のそれぞれに電圧を印加することにより、前記複数のデータ線のそれぞれと前記複数の時分割線のそれぞれとが電気的に交わる位置に設けられた複数の圧電素子のそれぞれを駆動させる駆動回路における駆動方法であって、
前記受信した複数の選択有無情報のすべてが選択無を示している場合、前記複数の時分割線および前記複数のデータ線の電圧値を変化させないようにする処理を有する。
【発明の効果】
【００１４】
本発明は以上説明したように構成されているので、電力が必要以上に消費されるのを回避することが可能となる。
【図面の簡単な説明】
【００１５】
【図１】本発明の駆動回路によって駆動される記録ヘッドを備えたインクジェットプリンタの一構成例を示すブロック図である。
【図２】図１に示した記録ヘッドへ送信される描画データを説明するための図である。
【図３】図１に示したノズルユニットの断面図である。
【図４】図３に示した複数の圧電素子および電極と、データ線と、時分割線との構成の一例を示す図である。
【図５】本発明の駆動回路の第１の実施形態の構成を説明するためのパルス波形図である。
【図６】本発明の駆動回路の第１の実施形態の構成を示すブロック図である。
【図７】本発明の駆動回路の第２の実施形態の構成を説明するためのパルス波形図である。
【図８】本発明の駆動回路の第２の実施形態の構成を示すブロック図である。
【図９】本発明の駆動回路の第３の実施形態の構成を説明するためのパルス波形図である。
【図１０】本発明の駆動回路の第３の実施形態の構成を示すブロック図である。
【発明を実施するための形態】
【００１６】
以下に、本発明の実施の形態について図面を参照して説明する。
【００１７】
図１は、本発明の駆動回路によって駆動される記録ヘッドを備えたインクジェットプリンタの一構成例を示すブロック図である。
【００１８】
インクジェットプリンタ１００は図１に示すように、制御基板１１０と、制御基板１１０に接続された記録ヘッド１２０と、ヘッドを移動させるキャリッジモータや用紙を送る搬送モータ等である駆動モータ１３０とを備えている。
【００１９】
制御基板１１０は、記録ヘッド１２０へ電圧を供給する駆動電圧電源１１１と、描画データ生成部１１２と、制御部１１３と、モータ制御部１１４とを備えている。
【００２０】
制御部１１３は、インクジェットプリンタ１００を構成する各部を制御するための制御信号を出力する。具体的には例えば、制御部１１３は、モータ制御部１１４を動作させるための制御信号をモータ制御部１１４へ出力する。また、制御部１１３は、パソコンなどの入力装置５００から送信された画像データを受信する。そして、制御部１１３は、受信した画像データから、記録ヘッド１２０が描画を行うために用いる描画データを生成させるための制御信号を描画データ生成部１１２へ出力する。
【００２１】
モータ制御部１１４は、制御部１１３から出力された制御信号を受け付け、受け付けた制御信号に含まれる指示に従って駆動モータ１３０を動作させる。
【００２２】
描画データ生成部１１２は、制御部１１３から出力された制御信号を受け付けると、制御部１１３にて受信された画像データから描画データを生成する。そして、描画データ生成部１１２は、生成した描画データを記録ヘッド１２０へ送信する。
【００２３】
図２は、図１に示した記録ヘッド１２０へ送信される描画データを説明するための図である。
【００２４】
描画データは図２に示すように、シリアルデータ（ＳＤ）として送信される。これは、信号線の数を削減するためである。描画データは転送クロック（ＣＬＫ）に同期してシリアルデータ（ＳＤ）に変換されて送信される。
【００２５】
なお、描画データは、後述する複数のデータ線のそれぞれに対応付けられ、そのデータ線の選択の有無を示す複数の選択有無情報である複数の描画情報から構成される。複数の描画情報のそれぞれは、ハイレベル（Ｈ）またはローレベル（Ｌ）の信号である。なお、ここでは、ハイレベル（Ｈ）は、データ線を選択することを示しており、ローレベル（Ｌ）は、データ線を選択しないことを示しているものとする。
【００２６】
また、図１に示したインクジェットプリンタでは、記録ヘッド１２０を時分割で駆動させるが、この場合、生成された描画データに対応する時分割番号を示す時分割情報もシリアルデータ（ＳＤ）として送信される。
【００２７】
再度、図１を参照すると、記録ヘッド１２０は、駆動回路１２１と、複数の圧電素子（不図示）を有するノズルユニット１２２とを備えている。
【００２８】
駆動回路１２１は、描画データ生成部１１２から送信されてきた時分割情報および描画データを含むシリアルデータ（ＳＤ）を受信する。そして、受信した時分割情報および描画データに応じ、駆動電圧電源１１１から供給された電圧を、複数の時分割線のそれぞれおよび複数のデータ線のそれぞれに印加する。これにより、ノズルユニット１２２が備える複数の圧電素子のそれぞれに電圧が印加され、その圧電素子に対応するノズルからインクが吐出する。なお、図１において、駆動回路１２１とノズルユニット１２２とを接続している図中横方向の複数の直線のそれぞれが時分割線を表している。また、駆動回路１２１とノズルユニット１２２とを接続している図中縦方向の複数の直線のそれぞれがデータ線を表している。
【００２９】
図３は、図１に示したノズルユニット１２２の断面図である。
【００３０】
図１に示したノズルユニットは図３に示すように、ハウジング１２２−１と、複数の圧電素子１２２−２と、複数の電極１２２−３と、複数の引き出し配線１２２−４と、振動板１２２−５とを備えている。また、図１に示したノズルユニットは図３に示すように、インク流路（不図示）からのインクが充填された複数の圧力室１２２−６と、シリコンまたはポリイミドなどで形成されたオリフィスプレート１２２−７とを備えている。
【００３１】
なお、図３において、ノズル孔１２２−８はオリフィスプレート１２２−７にあいているノズル孔であり、５１はノズル孔１２２−８から吐出したインクである飛翔液滴である。
【００３２】
また、複数の圧力室１２２−６のそれぞれは、複数の圧電素子１２２−２のそれぞれに対応付けられている。
【００３３】
図３に示すように、複数の圧電素子１２２−２のそれぞれの両側には電極１２２−３が形成されている。そして、２つの電極１２２−３のそれぞれには、引き出し配線１２２−４が接続されている。一方の電極１２２−３に接続された引き出し配線１２２−４には、データ線が接続され、他方の電極１２２−３に接続された引き出し配線１２２−４には、時分割線が接続される。
【００３４】
図３に示したノズルユニット１２２においては、圧電素子１２２−２を駆動させるための電圧が引き出し配線１２２−４を介して電極１２２−３に加わることによって電界が発生する。そして、発生した電界によって圧電素子１２２−２が変形、具体的には伸張し、圧力室１２２−６に充填されているインクが振動板１２２−５によって押される。そして、押されたインクがノズル孔１２２−８から吐出し、飛翔液滴５１になり記録媒体上に着弾して画像が形成される。
【００３５】
ここで、複数の圧電素子１２２−２のそれぞれに印加する電圧の電圧値を低い電圧値から高い電圧値に変化させていくと、電圧値が低い範囲ではインクは吐出せず、電圧値がある電圧値になるとインクの吐出が開始される。そして、電圧値をさらに上げるとインクの吐出量および吐出速度が上昇していく。以降の説明では、記録媒体上に画像を形成するのに最適なインクの吐出量および吐出速度が得られる電圧値をＥ（Ｖ）とする。
【００３６】
図４は、図３に示した複数の圧電素子１２２−２および電極１２２−３と、データ線と、時分割線との構成の一例を示す図である。図４においてＰ００〜Ｐ２２のそれぞれは、複数の圧電素子のそれぞれを示している。
【００３７】
なお、図４では、説明をわかりやすくするために、データ線および時分割線の数を３本としているが、データ線および時分割線の数は３本に限定されない。
【００３８】
図４に示すように、複数の圧電素子のそれぞれは、複数の時分割線のそれぞれと、複数のデータ線のそれぞれとが電気的に交わる位置に設けられており、一方の電極は時分割線と接続され、他方の電極はデータ線と接続されている。
【００３９】
例えば圧電素子Ｐ０２の一方の電極は時分割線０と接続され、他方の電極はデータ線２と接続されている。そして、時分割線０に印加される電圧の電圧値と、データ線２に印加される電圧の電圧値との差が、圧電素子Ｐ０２に印加される電圧の電圧値となる。
【００４０】
図４に示す例において、描画データ生成部１１２（図１参照）から送信されてくるシリアルデータ（ＳＤ）に含まれる時分割情報および描画データに従い、時分割線０〜２のそれぞれと、データ線０〜２のそれぞれとに電圧が印加される。これにより、圧電素子Ｐ００〜Ｐ２２のそれぞれが駆動されインクが吐出される。
【００４１】
上述したように、複数の時分割線および複数のデータ線のそれぞれへ電圧を印加するのは、図１に示した駆動回路１２１である。以下に、図１に示した駆動回路１２１の実施形態について詳細に説明する。
【００４２】
（第１の実施形態）
図５は、本発明の駆動回路の第１の実施形態の構成を説明するためのパルス波形図である。
【００４３】
図４および図５を参照しながら、図１に示した駆動回路１２１が、受信した時分割情報および描画データに応じて時分割線およびデータ線に電圧を印加することによって、図４に示した圧電素子Ｐ００、Ｐ０２、Ｐ２０を駆動させる動作の一例について説明する。
【００４４】
まず、図５（ａ）に示すように、Ｔ１の期間では時分割線０を駆動する。この場合、図２に示した駆動パルスタイミング（ＥＮ）がハイレベル（Ｈ）である間、駆動回路１２１は、時分割線０に第１の電圧である駆動電圧を印加し、時分割線１および時分割線２に第２の電圧である非駆動電圧を印加する。なお、本実施形態において、駆動電圧の電圧値は０（Ｖ）であり、非駆動電圧の電圧値はＥ／２（Ｖ）である。
【００４５】
また、駆動回路１２１は、受信した描画データに応じ、駆動パルスタイミング（ＥＮ）がハイレベル（Ｈ）である間、データ線０およびデータ線２に第３の電圧である選択電圧を印加し、データ線１に第４の電圧である非選択電圧を印加する。なお、本実施形態において、選択電圧の電圧値はＥ（Ｖ）であり、非選択電圧の電圧値は０（Ｖ）である。
【００４６】
これにより、圧電素子Ｐ００には図５（ｂ）に示すように、電圧値Ｅ（Ｖ）の電圧が印加されることになる。同様に、圧電素子Ｐ０２にも電圧値Ｅ（Ｖ）の電圧が印加されることになる。従って、圧電素子Ｐ００，Ｐ０２のそれぞれに対応する圧力室からインクが吐出される。
【００４７】
一方、圧電素子Ｐ０１には０（Ｖ）の電圧が印加され、圧電素子Ｐ１０には図５（ｂ）に示すように、Ｅ／２（Ｖ）の電圧が印加される。同様に、圧電素子Ｐ１２，Ｐ２０，Ｐ２２のそれぞれにもＥ／２（Ｖ）の電圧が印加される。また、圧電素子Ｐ１１，Ｐ２１のそれぞれには−Ｅ／２（Ｖ）の電圧が印加される。但し、圧電素子Ｐ００，Ｐ０２以外の圧電素子に印加される電圧の電圧値はインクの吐出が開始される電圧値よりも小さいため、これらの圧電素子のそれぞれに対応する圧力室からはインクが吐出されない。
【００４８】
次に、図５（ａ）に示すように、Ｔ２の期間では時分割線１を駆動する。この場合、従来の方式では駆動パルスタイミング（ＥＮ）がハイレベル（Ｈ）である間、時分割線１に駆動電圧（電圧値０（Ｖ））が印加され、時分割線０および時分割線２に、図中破線で示すように非駆動電圧（電圧値Ｅ／２（Ｖ））が印加されることになる。
【００４９】
また、受信した描画データに応じ、駆動パルスタイミング（ＥＮ）がハイレベル（Ｈ）である間、データ線０〜２に非選択電圧（電圧値０（Ｖ））が印加される。つまり、ここでは、Ｔ２の期間に対応する描画データに含まれる複数の描画情報のすべてがローレベル（Ｌ）、すなわち選択無を示している場合を想定している。
【００５０】
この場合、インクを吐出する必要がないのにもかかわらず、図５（ｂ）において破線で示すように圧電素子Ｐ００には−Ｅ／２（Ｖ）の電圧が印加される。同様に、圧電素子Ｐ０１，Ｐ０２，Ｐ２０，Ｐ２１，Ｐ２２のそれぞれにも−Ｅ／２（Ｖ）の電圧が印加され、不必要な電力が消費されてしまう。
【００５１】
本実施形態では、受信した描画データを構成する複数の描画情報のすべてがローレベル（Ｌ）である場合、すなわち、インクを吐出する必要がない場合、複数の時分割線のそれぞれに非駆動電圧が印加されないようにする。これにより、不必要な消費が消費されるのを回避することができる。これを実現する駆動回路の構成例については後述する。
【００５２】
Ｔ３の期間では時分割線２を駆動する。駆動パルスタイミング（ＥＮ）がハイレベル（Ｈ）である間、駆動回路１２１は、時分割線２に駆動電圧（電圧値０（Ｖ））を印加し、時分割線０および時分割線１に非駆動電圧（電圧値Ｅ／２（Ｖ））を印加する。
【００５３】
また、駆動回路１２１は、受信した描画データに従い、駆動パルスタイミング（ＥＮ）がハイレベル（Ｈ）である間、データ線０に選択電圧（電圧値Ｅ（Ｖ））を印加し、データ線１およびデータ線２に非選択電圧（電圧値０（Ｖ））を印加する。
【００５４】
これにより、圧電素子Ｐ２０には電圧値Ｅ（Ｖ）の電圧が印加され、圧電素子Ｐ２０に対応する圧力室からインクが吐出される。
【００５５】
また、圧電素子Ｐ２１，Ｐ２２のそれぞれには０（Ｖ）の電圧が印加され、圧電素子Ｐ００，Ｐ１０のそれぞれには図５（ｂ）に示すようにＥ／２（Ｖ）の電圧が印加される。また、圧電素子Ｐ０１，Ｐ０２，Ｐ１１，Ｐ１２のそれぞれには−Ｅ／２（Ｖ）の電圧が印加される。但し、圧電素子Ｐ２０以外の圧電素子に印加される電圧の電圧値はインクの吐出が開始される電圧値よりも小さいため、これらの圧電素子に対応する圧力室からはインクが吐出されない。
【００５６】
図６は、本発明の駆動回路の第１の実施形態の構成を示すブロック図である。図６は、Ｍ本の時分割線と、Ｎ本のデータ線とが電気的に交わる位置に複数の圧電素子（Ｐ００〜ＰＭＮ）のそれぞれが設けられており、一方の電極が時分割線と接続され、他方の電極がデータ線に接続されている状態を示している。
【００５７】
本実施形態の駆動回路は図６に示すように、シフトレジスタ１２１−１と、ラッチ１２１−２と、デコーダ１２１−３とを備えている。また、本実施形態の駆動回路は図６に示すように、時分割線制御部である時分割線駆動スイッチ部１２１−４と、データ線制御部であるデータ線駆動スイッチ部１２１−５と、判別部１２１−６とを備えている。
【００５８】
シフトレジスタ１２１−１は、描画データ生成部１１２（図１参照）から送信されてきた時分割情報および描画データを含むシリアルデータ（ＳＤ）を、転送クロック（ＣＬＫ）に同期して受信する。時分割情報および描画データの受信が完了すると、受信された時分割番号および描画データは、ラッチパルス（ＬＴ）でラッチ１２１−２に転送される。
【００５９】
デコーダ１２１−３は、ラッチ１２１−２に転送された時分割情報をデコードすることによって時分割番号を取得する。そして、デコーダ１２１−３は、取得した時分割番号に対応する出力線にハイレベル（Ｈ）の信号を出力する。
【００６０】
時分割線駆動スイッチ部１２１−４は、Ｍ本の時分割線のそれぞれと対応付けられたＭ個のスイッチを備えている。Ｍ個のスイッチのそれぞれは、図６の図中“Ｓ”で示した制御入力Ｓがローレベル（Ｌ）である場合、図６の図中“Ｌ”で示したＬ端子を選択する。一方、Ｍ個のスイッチのそれぞれは、制御入力Ｓがハイレベル（Ｈ）である場合、図６の図中“Ｈ”で示したＨ端子を選択する。Ｍ個のスイッチのそれぞれは、Ｌ端子を選択した場合、駆動電圧の電圧値である０（Ｖ）の信号を出力し、Ｈ端子を選択した場合、非駆動電圧の電圧値であるＥ／２（Ｖ）の信号を出力する。
【００６１】
データ線駆動スイッチ部１２１−５は、Ｎ本のデータ線のそれぞれと対応付けられたＮ個のスイッチを備えている。すなわち、Ｎ個のスイッチのそれぞれは、描画情報と対応していることになる。Ｎ個のスイッチのそれぞれは、図６の図中“Ｓ”で示した制御入力Ｓがローレベル（Ｌ）である場合、図６の図中“Ｌ”で示したＬ端子を選択する。一方、Ｎ個のスイッチのそれぞれは、制御入力Ｓがハイレベル（Ｈ）である場合、図６の図中“Ｈ”で示したＨ端子を選択する。Ｎ個のスイッチのそれぞれは、Ｌ端子を選択した場合、非選択電圧の電圧値である０（Ｖ）の信号を出力し、Ｈ端子を選択した場合、選択電圧の電圧値であるＥ（Ｖ）の信号を出力する。
【００６２】
判別部１２１−６は、ラッチ１２１−２に転送された描画データを構成する複数の描画情報のＡＮＤをとる。その結果がローレベル（Ｌ）である場合、判別部１２１−６は、ハイレベル（Ｈ）の信号を出力する。複数の描画情報のＡＮＤをとった結果が、ローレベル（Ｌ）である場合とは、複数の描画情報のすべてがローレベル（Ｌ）、すなわち選択無を示している場合である。一方、その結果がハイレベル（Ｈ）である場合、判別部１２１−６は、ローレベル（Ｌ）の信号を出力する。複数の描画情報のＡＮＤをとった結果が、ハイレベル（Ｈ）である場合とは、複数の描画情報のうちの少なくとも１つがハイレベル（Ｈ）、すなわち選択有を示している場合である。なお、判別部１２１−６は、シリアルデータ（ＳＤ）の描画データをＲＳ−ＦＦで監視し、複数の描画情報の中にハイレベルを示す描画情報があるかどうかを検出するようにしてもよい。
【００６３】
以下に、上記のように構成された駆動回路の動作について説明する。
【００６４】
シフトレジスタ１２１−１は、描画データ生成部１１２（図１参照）から送信されてきた時分割情報および描画データを含むシリアルデータ（ＳＤ）を受信する。シフトレジスタ１２１−１にて受信された時分割情報および描画データは、ラッチパルス（ＬＴ）でラッチ１２１−２に転送される。
【００６５】
その後、駆動パルスタイミング（ＥＮ）がハイレベル（Ｈ）である間、ラッチ１２１−２に転送された描画データを構成する複数の描画情報のそれぞれがハイレベル（Ｈ）であるか、ローレベル（Ｌ）であるかに応じて以下のような動作となる。
【００６６】
ラッチ１２１−２に転送された描画データを構成する複数の描画情報のそれぞれがハイレベル（Ｈ）である場合、データ線駆動スイッチ部１２１−５のＮ個のスイッチのうち、その描画情報に対応するスイッチへの制御入力Ｓがハイレベル（Ｈ）になる。従って、その描画情報に対応するデータ線に選択電圧（電圧値Ｅ（Ｖ））が印加される。
【００６７】
一方、ラッチ１２１−２に転送された描画データを構成する複数の描画情報のそれぞれがローレベル（Ｌ）である場合、データ線駆動スイッチ部１２１−５のＮ個のスイッチのうち、その描画情報に対応するスイッチへの制御入力Ｓがローレベル（Ｌ）になる。従って、その描画情報に対応するデータ線に非選択電圧（電圧値０（Ｖ））が印加される。
【００６８】
デコーダ１２１−３は、ラッチ１２１−２に転送された時分割情報をデコードすることによって時分割番号を取得する。そして、デコーダ１２１−３は、取得した時分割番号に対応する出力線にハイレベル（Ｈ）の信号を出力する。
【００６９】
このとき、ラッチ１２１−２に転送された複数の描画データを構成する複数の描画情報のいずれかがハイレベル（Ｈ）であれば、判別部１２１−６からの出力はローレベル（Ｌ）となる。
【００７０】
従って、駆動パルスタイミング（ＥＮ）がハイレベル（Ｈ）である間、時分割線駆動スイッチ部１２１−４のＭ個のスイッチのうち、取得した時分割番号以外のスイッチへの制御入力Ｓはハイレベル（Ｈ）となる。これにより、時分割線駆動スイッチ部１２１−４のＭ個のスイッチのうち、取得した時分割番号の時分割線には駆動電圧（電圧値０（Ｖ））が印加される。そして、それ以外の時分割線には非駆動電圧（電圧値Ｅ／２（Ｖ））が印加される。
【００７１】
ここで、ラッチ１２１−２に転送された描画データを構成する複数の描画情報のすべてがローレベル（Ｌ）である場合、判別部１２１−６からの出力はハイレベル（Ｈ）となる。この場合、時分割線駆動スイッチ部１２１−４のＭ個のスイッチのすべてへの制御入力Ｓがローレベル（Ｌ）となり、Ｍ個のスイッチのすべてにおいてＬ端子が選択されることになる。従って、複数の時分割線のいずれにも非駆動電圧のＥ／２（Ｖ）が印加されることはない。
【００７２】
このように本実施形態において駆動回路は、受信した複数の描画情報のすべてが選択無を示している場合、複数の時分割線および複数のデータ線の電圧値を変化させないようにする。
【００７３】
より具体的には、駆動回路は、受信した複数の描画情報のすべてが選択無を示している場合、複数の時分割線のそれぞれに印加する電圧として選択可能な電圧のうち電圧値が０（Ｖ）である駆動電圧を、複数の時分割線のそれぞれに印加する電圧として選択する（第１の選択処理）。また、駆動回路は、受信した複数の描画情報のそれぞれが選択無を示している場合、複数のデータ線のそれぞれに印加する電圧として選択可能な電圧のうち電圧値が０（Ｖ）である非選択電圧を、その描画情報に対応するデータ線に印加する電圧として選択する（第２の選択処理）。
【００７４】
これにより、電力が必要以上に消費されるのを回避することが可能となる。
【００７５】
なお、本実施形態では、複数の圧電素子の両端の電圧が全く変化しない理想的な構成を示したが、両端の電圧の変化が駆動時の１／１０程度に以下に低減できる回路でも十分な効果が得られる。
【００７６】
（第２の実施形態）
図７は、本発明の駆動回路の第２の実施形態の構成を説明するためのパルス波形図である。
【００７７】
図４および図７を参照しながら、図１に示した駆動回路１２１が、受信した時分割情報および描画データに応じて時分割線およびデータ線に電圧を印加することによって、図４に示した圧電素子Ｐ００，Ｐ０２，Ｐ２０を駆動させる動作の一例について説明する。
【００７８】
まず、図７（ａ）に示すように、Ｔ１の期間では時分割線０を駆動する。この場合、図２に示した駆動パルスタイミング（ＥＮ）がハイレベル（Ｈ）である間、駆動回路１２１は、時分割線０に第１の電圧である駆動電圧を印加し、時分割線１および時分割線２に第２の電圧である非駆動電圧を印加する。なお、本実施形態において、駆動電圧の電圧値は０（Ｖ）であり、非駆動電圧の電圧値は２Ｅ／３（Ｖ）である。
【００７９】
また、駆動回路１２１は、受信した描画データに応じ、駆動パルスタイミング（ＥＮ）がハイレベル（Ｈ）である間、データ線０およびデータ線２に第３の電圧である選択電圧を印加し、データ線１に第４の電圧である非選択電圧を印加する。なお、本実施形態において、選択電圧の電圧値はＥ（Ｖ）であり、非選択電圧の電圧値はＥ／３（Ｖ）である。
【００８０】
これにより、圧電素子Ｐ００には図７（ｂ）に示すように、電圧値Ｅ（Ｖ）の電圧が印加されることになる。同様に、圧電素子Ｐ０２にも電圧値Ｅ（Ｖ）の電圧が印加されることになる。従って、圧電素子Ｐ００，Ｐ０２のそれぞれに対応する圧力室からインクが吐出される。
【００８１】
一方、圧電素子Ｐ１０には図７（ｂ）に示すように、Ｅ／３（Ｖ）の電圧が印加される。同様に、圧電素子Ｐ０１，Ｐ１２，Ｐ２０，Ｐ２２のそれぞれにもＥ／３（Ｖ）の電圧が印加される。また、圧電素子Ｐ１１，Ｐ２１のそれぞれには−Ｅ／３（Ｖ）の電圧が印加される。但し、圧電素子Ｐ００，Ｐ０２以外の圧電素子に印加される電圧の電圧値はインクの吐出が開始される電圧値よりも小さいため、これらの圧電素子のそれぞれに対応する圧力室からはインクが吐出されない。
【００８２】
次に、図７（ａ）に示すように、Ｔ２の期間では時分割線１を駆動する。この場合、従来の方式では駆動パルスタイミング（ＥＮ）がハイレベル（Ｈ）である間、時分割線１に駆動電圧（電圧値０（Ｖ））が印加され、時分割線０および時分割線２に、図中破線で示すように非駆動電圧（電圧値２Ｅ／３（Ｖ））が印加されることになる。
【００８３】
また、受信した描画データに応じ、駆動パルスタイミング（ＥＮ）がハイレベル（Ｈ）である間、データ線０〜２に非選択電圧（電圧値Ｅ／３（Ｖ））が印加される。つまり、ここでは、Ｔ２の期間に対応する描画データに含まれる複数の描画情報のすべてがローレベル（Ｌ）、すなわち選択無を示している場合を想定している。
【００８４】
この場合、インクを吐出する必要がないのにもかかわらず、図７（ｂ）において破線で示すように圧電素子Ｐ００には−Ｅ／３（Ｖ）の電圧が印加される。同様に、圧電素子Ｐ０１，Ｐ０２，Ｐ２０，Ｐ２１，Ｐ２２のそれぞれにも−Ｅ／３（Ｖ）の電圧が印加される。また、図７（ｂ）において破線で示すように圧電素子Ｐ１０にはＥ／３（Ｖ）の電圧が印加される。同様に、圧電素子Ｐ１１，Ｐ１２のそれぞれにもＥ／３（Ｖ）の電圧が印加され、不必要な電力が消費されてしまう。
【００８５】
本実施形態では、受信した描画データを構成する複数の描画情報がすべてローレベル（Ｌ）である場合、すなわち、インクを吐出する必要がない場合、複数の時分割線のそれぞれに非駆動電圧が印加されないようにする。それとともに、複数のデータ線のそれぞれに非選択電圧が印加されないようにする。これにより、不必要な電力が消費されるのを回避することができる。これを実現する駆動回路の構成例については後述する。
【００８６】
Ｔ３の期間では時分割線２を駆動する。駆動パルスタイミング（ＥＮ）がハイレベル（Ｈ）である間、駆動回路１２１は、時分割線２に駆動電圧（電圧値０（Ｖ））を印加し、時分割線０および時分割線１に非駆動電圧（電圧値２Ｅ／３（Ｖ））を印加する。
【００８７】
また、駆動回路１２１は、受信した描画データに応じ、駆動パルスタイミング（ＥＮ）がハイレベル（Ｈ）である間、データ線０に選択電圧（電圧値Ｅ（Ｖ））を印加し、データ線１およびデータ線２に非選択電圧（電圧値Ｅ／３（Ｖ））を印加する。
【００８８】
これにより、圧電素子Ｐ２０には電圧値Ｅ（Ｖ）の電圧が印加され、圧電素子Ｐ２０に対応する圧力室からインクが吐出される。
【００８９】
また、圧電素子Ｐ００，Ｐ１０のそれぞれには図７（ｂ）に示すようにＥ／３（Ｖ）の電圧が印加され、同様に、圧電素子Ｐ２１，Ｐ２２のそれぞれにもＥ／３（Ｖ）の電圧が印加される。また、圧電素子Ｐ０１，Ｐ０２，Ｐ１１，Ｐ１２のそれぞれには−Ｅ／３（Ｖ）の電圧が印加される。但し、圧電素子Ｐ２０以外の圧電素子に印加される電圧の電圧値はインクの吐出が開始される電圧値よりも小さいため、これらの圧電素子に対応する圧力室からはインクが吐出されない。
【００９０】
図８は、本発明の駆動回路の第２の実施形態の構成を示すブロック図である。図８は、Ｍ本の時分割線と、Ｎ本のデータ線とが電気的に交わる位置に複数の圧電素子（Ｐ００〜ＰＭＮ）のそれぞれが設けられており、一方の電極が時分割線と接続され、他方の電極がデータ線に接続されている状態を示している。
【００９１】
本実施形態の駆動回路は図８に示すように、シフトレジスタ２２１−１と、ラッチ２２１−２と、デコーダ２２１−３とを備えている。また、本実施形態の駆動回路は図８に示すように、時分割線制御部である時分割線駆動スイッチ部２２１−４と、データ線制御部であるデータ線駆動スイッチ部２２１−５と、判別部２２１−６と、スイッチ部２２１−７とを備えている。
【００９２】
なお、図８に示したシフトレジスタ２２１−１と、ラッチ２２１−２とのそれぞれの構成は、図６に示したシフトレジスタ１２１−１と、ラッチ１２１−２のそれぞれの構成と同様である。また、図８に示したデコーダ２２１−３と、判別部２２１−６とのそれぞれの構成は、図６に示したデコーダ１２１−３と、判別部１２１−６とのそれぞれの構成と同様である。そのため、これらについての説明は省略する。
【００９３】
時分割線駆動スイッチ部２２１−４は、Ｍ本の時分割線のそれぞれと対応付けられたＭ個のスイッチを備えている。Ｍ個のスイッチのそれぞれは、図８の図中“Ｓ”で示した制御入力Ｓがローレベル（Ｌ）である場合、図８の図中“Ｌ”で示したＬ端子を選択する。一方、Ｍ個のスイッチのそれぞれは、制御入力Ｓがハイレベル（Ｈ）である場合、図８の図中“Ｈ”で示したＨ端子を選択する。Ｍ個のスイッチのそれぞれは、Ｌ端子を選択した場合、駆動電圧の電圧値である０（Ｖ）の信号を出力し、Ｈ端子を選択した場合、非駆動電圧の電圧値である２Ｅ／３（Ｖ）の信号を出力する。
【００９４】
データ線駆動スイッチ部２２１−５は、Ｎ本のデータ線のそれぞれと対応付けられたＮ個のスイッチを備えている。すなわち、Ｎ個のスイッチのそれぞれは、描画情報と対応していることになる。Ｎ個のスイッチのそれぞれは、図８の図中“Ｓ”で示した制御入力Ｓがローレベル（Ｌ）である場合、図８の図中“Ｌ”で示したＬ端子を選択する。一方、Ｎ個のスイッチのそれぞれは、制御入力Ｓがハイレベル（Ｈ）である場合、図８の図中“Ｈ”で示したＨ端子を選択する。Ｎ個のスイッチのそれぞれは、Ｌ端子を選択した場合、非選択電圧の電圧値であるＥ／３（Ｖ）、または、第５の電圧である非駆動電圧の電圧値である０（Ｖ）の信号を出力する。一方、Ｎ個のスイッチのそれぞれは、Ｈ端子を選択した場合、選択電圧の電圧値であるＥ（Ｖ）、または、非駆動電圧の電圧値である０（Ｖ）の信号を出力する。
【００９５】
スイッチ部２２１−７は、ラッチ２２１−２に転送された描画データを構成する複数の描画情報のすべてがローレベル（Ｌ）である場合に、複数のデータ線のそれぞれに選択電圧および非選択電圧のいずれも印加させないようにするためのスイッチである。スイッチ部２２１−７は、データ線駆動スイッチ部２２１−５のＮ個のスイッチのそれぞれのＬ端子と接続されたスイッチ、および、Ｈ端子と接続されたスイッチとの２つのスイッチを備えている。２つのスイッチのそれぞれは、図８の図中“Ｓ”で示した制御入力Ｓがローレベル（Ｌ）である場合、図８の図中“Ｌ”で示したＬ端子を選択する。一方、２つのスイッチのそれぞれは、制御入力Ｓがハイレベル（Ｈ）である場合、図８の図中“Ｈ”で示したＨ端子を選択する。２つのスイッチのそれぞれは、Ｌ端子を選択した場合、０（Ｖ）の信号を出力する。一方、Ｈ端子を選択した場合、一方のスイッチが選択電圧の電圧値であるＥ（Ｖ）の信号を出力し、他方のスイッチが非選択電圧の電圧値であるＥ／３（Ｖ）の信号を出力する。
【００９６】
以下に、上記のように構成された駆動回路の動作について説明する。
【００９７】
シフトレジスタ２２１−１は、描画データ生成部１１２（図１参照）から送信されてきた時分割情報および描画データを含むシリアルデータ（ＳＤ）を受信する。シフトレジスタ２２１−１にて受信された時分割情報および描画データは、ラッチパルス（ＬＴ）でラッチ２２１−２に転送される。
【００９８】
その後、駆動パルスタイミング（ＥＮ）がハイレベル（Ｈ）である間、ラッチ２２１−２に転送された描画データを構成する複数の描画情報のそれぞれがハイレベル（Ｈ）であるか、ローレベル（Ｌ）であるかに応じて以下のような動作となる。
【００９９】
ラッチ２２１−２に転送された描画データを構成する複数の描画情報のそれぞれがハイレベル（Ｈ）である場合、データ線駆動スイッチ部２２１−５のＮ個のスイッチのうち、その描画情報に対応するスイッチへの制御入力Ｓがハイレベル（Ｈ）になる。従って、その描画情報に対応するデータ線に選択電圧（電圧値Ｅ（Ｖ））が印加される。
【０１００】
一方、ラッチ２２１−２に転送された描画データを構成する複数の描画情報のそれぞれがローレベル（Ｌ）である場合、データ線駆動スイッチ部２２１−５のＮ個のスイッチのうち、その描画情報に対応するスイッチへの制御入力Ｓがローレベル（Ｌ）になる。従って、その描画情報に対応するデータ線に非選択電圧（電圧値Ｅ／３（Ｖ））が印加される。
【０１０１】
デコーダ２２１−３は、ラッチ２２１−２に転送された時分割情報をデコードすることによって時分割番号を取得する。そして、デコーダ２２１−３は、取得した時分割番号に対応する出力線にハイレベル（Ｈ）の信号を出力する。
【０１０２】
このとき、ラッチ２２１−２に転送された複数の描画データを構成する複数の描画情報のいずれかがハイレベル（Ｈ）であれば、判別部２２１−６からの出力はローレベル（Ｌ）となる。
【０１０３】
従って、駆動パルスタイミング（ＥＮ）がハイレベル（Ｈ）である間、時分割線駆動スイッチ部２２１−４のＭ個のスイッチのうち、取得した時分割番号以外のスイッチへの制御入力Ｓはハイレベル（Ｈ）となる。これにより、時分割線駆動スイッチ部２２１−４のＭ個のスイッチのうち、取得した時分割番号の時分割線には駆動電圧（電圧値０（Ｖ））が印加される。そして、それ以外の時分割線には非駆動電圧（（電圧値２Ｅ／３（Ｖ））が印加される。
【０１０４】
ここで、ラッチ２２１−２に転送された描画データを構成する複数の描画情報のすべてがローレベル（Ｌ）である場合、判別部２２１−６からの出力はハイレベル（Ｈ）となる。この場合、時分割線駆動スイッチ部２２１−４のＭ個のスイッチのすべてへの制御入力Ｓはローレベル（Ｌ）となり、Ｍ個のスイッチのすべてにおいてＬ端子が選択されることになる。従って、複数の時分割線のいずれにも非駆動電圧の２Ｅ／３（Ｖ）が印加されることはない。
【０１０５】
また、この場合、スイッチ部２２１−７への制御入力Ｓがローレベル（Ｌ）になり、スイッチ部２２１−７の２つのスイッチからの出力が０（Ｖ）になる。これにより、データ線駆動スイッチ部２２１−５のＮ個のスイッチのすべてにおいてＬ端子とＨ端子とのいずれが選択されても、データ線駆動スイッチ部２２１−５のＮ個のスイッチのそれぞれからの出力は非駆動電圧の電圧値である０（Ｖ）となる。つまり、複数のデータ線のそれぞれには、選択電圧と非選択電圧とのいずれも印加されることがない。
【０１０６】
このように本実施形態において駆動回路は、受信した複数の描画情報のすべてが選択無を示している場合、複数の時分割線および複数のデータ線の電圧値を変化させないようにする。
【０１０７】
より具体的には、駆動回路は、受信した複数の描画情報のすべてが選択無を示している場合、複数の時分割線のそれぞれに印加する電圧として選択可能な電圧のうち電圧値が０（Ｖ）である駆動電圧を、複数の時分割線のそれぞれに印加する電圧として選択する（第１の選択処理）。また、駆動回路は、複数のデータ線のそれぞれに印加する電圧として電圧値が０（Ｖ）である非駆動電圧を選択することが可能である。そして、駆動回路は、受信した複数の描画情報のすべてが選択無を示している場合、複数のデータ線のそれぞれに印加する電圧としてその非駆動電圧を選択する（第２の選択処理）。
【０１０８】
これにより、電力が必要以上に消費されるのを回避することが可能となる。
【０１０９】
（第３の実施形態）
図９は、本発明の駆動回路の第３の実施形態の構成を説明するためのパルス波形図である。
【０１１０】
図４および図９を参照しながら、図１に示した駆動回路１２１が、受信した時分割情報および描画データに応じて時分割線およびデータ線に電圧を印加することによって、図４に示した圧電素子Ｐ００，Ｐ０２，Ｐ２０を駆動させる動作の一例について説明する。
【０１１１】
まず、図９（ａ）に示すように、Ｔ１の期間では時分割線０を駆動する。この場合、図２に示した駆動パルスタイミング（ＥＮ）がハイレベル（Ｈ）である間、駆動回路１２１は、時分割線０に駆動電圧を印加し、時分割線１および時分割線２に非駆動電圧を印加する。なお、本実施形態においては、上述した第２の実施形態と同様に、駆動電圧の電圧値は０（Ｖ）であり、非駆動電圧の電圧値は２Ｅ／３（Ｖ）である。
【０１１２】
また、駆動回路１２１は、受信した描画データに応じ、駆動パルスタイミング（ＥＮ）がハイレベル（Ｈ）である間、データ線０およびデータ線２に選択電圧を印加し、データ線１に非選択電圧を印加する。なお、本実施形態においては、上述した第２の実施形態と同様に、選択電圧の電圧値はＥ（Ｖ）であり、非選択電圧の電圧値はＥ／３（Ｖ）である。
【０１１３】
これにより、圧電素子Ｐ００には図９（ｂ）に示すように、電圧値Ｅ（Ｖ）の電圧が印加されることになる。同様に、圧電素子Ｐ０２にも電圧値Ｅ（Ｖ）の電圧が印加されることになる。従って、圧電素子Ｐ００，Ｐ０２のそれぞれに対応する圧力室からインクが吐出される。
【０１１４】
一方、圧電素子Ｐ１０には図９（ｂ）に示すように、Ｅ／３（Ｖ）の電圧が印加される。同様に、圧電素子Ｐ０１，Ｐ１２，Ｐ２０，Ｐ２２のそれぞれにもＥ／３（Ｖ）の電圧が印加される。また、圧電素子Ｐ１１，Ｐ２１のそれぞれには−Ｅ／３（Ｖ）の電圧が印加される。但し、圧電素子Ｐ００，Ｐ０２以外の圧電素子に印加される電圧の電圧値はインクの吐出が開始される電圧値よりも小さいため、これらの圧電素子のそれぞれに対応する圧力室からはインクが吐出されない。
【０１１５】
次に、図９（ａ）に示すように、Ｔ２の期間では時分割線１を駆動する。この場合、従来の方式では駆動パルスタイミング（ＥＮ）がハイレベル（Ｈ）である間、時分割線１に駆動電圧（電圧値０（Ｖ））が印加され、時分割線０および時分割線２に、図中破線で示すように非駆動電圧（電圧値２Ｅ／３（Ｖ））が印加されることになる。
【０１１６】
また、受信した描画データに応じ、駆動パルスタイミング（ＥＮ）がハイレベル（Ｈ）である間、データ線０〜２に非選択電圧（電圧値Ｅ／３（Ｖ））が印加される。つまり、ここでは、Ｔ２の期間に対応する描画データに含まれる複数の描画情報のすべてがローレベル（Ｌ）、すなわち選択無を示している場合を想定している。
【０１１７】
この場合、インクを吐出する必要がないのにもかかわらず、図９（ｂ）において破線で示すように圧電素子Ｐ００には−Ｅ／３（Ｖ）の電圧が印加される。同様に、圧電素子Ｐ０１，Ｐ０２，Ｐ２０，Ｐ２１，Ｐ２２のそれぞれにも−Ｅ／３（Ｖ）の電圧が印加される。また、図９（ｂ）において破線で示すように圧電素子Ｐ１０にはＥ／３（Ｖ）の電圧が印加される。同様に、圧電素子Ｐ１１，Ｐ１２のそれぞれにもＥ／３（Ｖ）の電圧が印加され、不必要な電力が消費されてしまう。
【０１１８】
本実施形態では、受信した描画データを構成する複数の描画情報がすべてローレベル（Ｌ）である場合、すなわち、インクを吐出する必要がない場合、複数の時分割線と、複数のデータ線とをハイインピーダンスにする。これにより、複数の圧電素子のそれぞれの電圧値が変化しなくなり、不必要な電力が消費されるのを回避することができる。これを実現する駆動回路の構成例については後述する。
【０１１９】
Ｔ３の期間では時分割線２を駆動する。駆動パルスタイミング（ＥＮ）がハイレベル（Ｈ）である間、駆動回路１２１は、時分割線２に駆動電圧（電圧値０（Ｖ））を印加し、時分割線０および時分割線１には非駆動電圧（電圧値２Ｅ／３（Ｖ））を印加する。
【０１２０】
また、駆動回路１２１は、受信した描画データに応じ、駆動パルスタイミング（ＥＮ）がハイレベル（Ｈ）である間、データ線０に選択電圧（電圧値Ｅ（Ｖ））を印加し、データ線１およびデータ線２に非選択電圧（電圧値Ｅ／３（Ｖ））を印加する。
【０１２１】
これにより、圧電素子Ｐ２０には電圧値Ｅ（Ｖ）の電圧が印加され、圧電素子Ｐ２０に対応する圧力室からインクが吐出される。
【０１２２】
また、圧電素子Ｐ００，Ｐ１０のそれぞれには図９（ｂ）に示すようにＥ／３（Ｖ）の電圧が印加され、同様に、圧電素子Ｐ２１，Ｐ２２のそれぞれにもＥ／３（Ｖ）の電圧が印加される。また、圧電素子Ｐ０１，Ｐ０２，Ｐ１１，Ｐ１２のそれぞれには−Ｅ／３（Ｖ）の電圧が印加される。但し、圧電素子Ｐ２０以外の圧電素子に印加される電圧の電圧値はインクの吐出が開始される電圧値よりも小さいため、これらの圧電素子のそれぞれに対応する圧力室からはインクが吐出されない。
【０１２３】
図１０は、本発明の駆動回路の第３の実施形態の構成を示すブロック図である。図１０は、Ｍ本の時分割線と、Ｎ本のデータ線とが電気的に交わる位置に複数の圧電素子（Ｐ００〜ＰＭＮ）のそれぞれが設けられており、一方の電極が時分割線と接続され、他方の電極がデータ線に接続されている状態を示している。
【０１２４】
本実施形態の駆動回路は図１０に示すように、シフトレジスタ３２１−１と、ラッチ３２１−２と、デコーダ３２１−３とを備えている。また、本実施形態の駆動回路は図１０に示すように、時分割線駆動スイッチ部３２１−４と、データ線駆動スイッチ部３２１−５と、判別部３２１−６と、スイッチ部３２１−７とを備えている。
【０１２５】
なお、図１０に示したシフトレジスタ３２１−１と、ラッチ３２１−２とのそれぞれの構成は、図６に示したシフトレジスタ１２１−１と、ラッチ１２１−２とのそれぞれの構成と同様である。また、図１０に示したデコーダ３２１−３の構成は、図６に示したデコーダ１２１−３の構成と同様である。また、図１０に示したスイッチ部３２１−７の構成は、図８に示したスイッチ部２２１−７の構成と同様である。そのため、これらについての説明は省略する。
【０１２６】
時分割線駆動スイッチ部３２１−４は、Ｍ本の時分割線のそれぞれと対応付けられたＭ個のスイッチを備えている。Ｍ個のスイッチのそれぞれは、図１０の図中“ＯＥ”で示した出力制御ＯＥがハイレベル（Ｈ）である間、図１０の図中“Ｓ”で示した制御入力Ｓローレベル（Ｌ）である場合、図１０の図中“Ｌ”で示したＬ端子を選択する。一方、Ｍ個のスイッチのそれぞれは、出力制御ＯＥがハイレベル（Ｈ）である間、制御入力Ｓがハイレベル（Ｈ）である場合、図１０の図中“Ｈ”で示したＨ端子を選択する。複数のスイッチのそれぞれは、Ｌ端子を選択した場合、駆動電圧の電圧値である０（Ｖ）の信号を出力し、Ｈ端子を選択した場合、非駆動電圧の電圧値である２Ｅ／３（Ｖ）の信号を出力する。なお、出力制御ＯＥがローレベル（Ｌ）である間は、制御入力Ｓ等の入力信号にかかわらず、Ｍ個のスイッチのそれぞれからの出力はハイインピーダンスになる。
【０１２７】
データ線駆動スイッチ部３２１−５は、Ｎ本のデータ線のそれぞれと対応付けられたＮ個のスイッチを備えている。すなわち、Ｎ個のスイッチのそれぞれは、描画情報と対応していることになる。Ｎ個のスイッチのそれぞれは、図１０の図中“ＯＥ”で示した出力制御ＯＥがハイレベル（Ｈ）である間、図１０の図中“Ｓ”で示した制御入力Ｓがローレベル（Ｌ）である場合、図１０の図中“Ｌ”で示したＬ端子を選択する。一方、Ｎ個のスイッチのそれぞれは、出力制御ＯＥがハイレベル（Ｈ）である間、制御入力Ｓがハイレベル（Ｈ）である場合、図１０の図中“Ｈ”で示したＨ端子を選択する。Ｎ個のスイッチのそれぞれは、Ｌ端子を選択した場合、非選択電圧の電圧値であるＥ／３（Ｖ）、または、非駆動電圧の電圧値である０（Ｖ）の信号を出力する。一方、Ｎ個のスイッチのそれぞれは、Ｈ端子を選択した場合、選択電圧の電圧値であるＥ（Ｖ）、または、非駆動電圧の電圧値である０（Ｖ）の信号を出力する。なお、出力制御ＯＥがローレベル（Ｌ）である間は、制御入力Ｓ等の入力信号にかかわらず、Ｎ個のスイッチのそれぞれからの出力はハイインピーダンスになる。
【０１２８】
判別部３２１−６は、ラッチ３２１−２に転送された描画データを構成する複数の描画情報のＡＮＤをとる。その結果がローレベル（Ｌ）である場合、判別部３２１−６は、ローレベル（Ｌ）の信号を出力する。一方、その結果がハイレベル（Ｈ）である場合、判別部３２１−６は、ハイレベル（Ｈ）の信号を出力する。
【０１２９】
以下に、上記のように構成された駆動回路の動作について説明する。
【０１３０】
シフトレジスタ３２１−１は、描画データ生成部１１２（図１参照）から送信されてきた時分割情報および描画データを含むシリアルデータ（ＳＤ）を受信する。シフトレジスタ３２１−１にて受信された時分割情報および描画データは、ラッチパルス（ＬＴ）でラッチ３２１−２に転送される。
【０１３１】
その後、駆動パルスタイミング（ＥＮ）がハイレベル（Ｈ）である間、ラッチ３２１−２に転送された描画データを構成する複数の描画情報のそれぞれがハイレベル（Ｈ）であるか、ローレベル（Ｌ）であるかに応じて以下のような動作となる。
【０１３２】
ラッチ３２１−２に転送された描画データを構成する複数の描画情報のそれぞれがハイレベル（Ｈ）である場合、データ線駆動スイッチ部３２１−５のＮ個のスイッチのうち、その描画情報に対応するスイッチへの制御入力Ｓがハイレベル（Ｈ）になる。従って、その描画情報に対応するデータ線に選択電圧（電圧値Ｅ（Ｖ））が印加される。
【０１３３】
一方、ラッチ１２１−２に転送された描画データを構成する複数の描画情報のそれぞれがローレベル（Ｌ）である場合、データ線駆動スイッチ部３２１−５のＮ個のスイッチのうち、その描画情報に対応するスイッチへの制御入力Ｓがローレベル（Ｌ）になる。従って、その描画情報に対応するデータ線に非選択電圧（電圧値Ｅ／３（Ｖ））が印加される。
【０１３４】
デコーダ３２１−３は、ラッチ３２１−２に転送された時分割情報をデコードすることによって時分割番号を取得する。そして、デコーダ３２１−３は、取得した時分割番号に対応する出力線にハイレベル（Ｈ）の信号を出力する。
【０１３５】
このとき、ラッチ３２１−２に転送された複数の描画データを構成する複数の描画情報のいずれかがハイレベル（Ｈ）であれば、判別部３２１−６からの出力はハイレベル（Ｈ）となる。
【０１３６】
従って、駆動パルスタイミング（ＥＮ）がハイレベル（Ｈ）である間、時分割線駆動スイッチ部３２１−４のＭ個のスイッチのうち、取得した時分割番号以外のスイッチへの制御入力Ｓはハイレベル（Ｈ）となる。これにより、時分割線駆動スイッチ部３２１−４のＭ個のスイッチのうち、取得した時分割番号の時分割線には駆動電圧（電圧値０（Ｖ））が印加される。そして、それ以外の時分割線には非駆動電圧（（電圧値２Ｅ／３（Ｖ））が印加される。
【０１３７】
ここで、ラッチ３２１−２に転送された描画データを構成する複数の描画情報のすべてがローレベル（Ｌ）である場合、判別部３２１−６からの出力はローレベル（Ｌ）となる。この場合、時分割線駆動スイッチ部３２１−４のＭ個のスイッチのすべてと、データ線駆動スイッチ部３２１−５のＮ個のスイッチのすべてとへの出力制御ＯＥはローレベル（Ｌ）となる。従って、時分割線駆動スイッチ部３２１−４のＭ個のスイッチのそれぞれと、データ線駆動スイッチ部３２１−５のＮ個のスイッチのそれぞれとからの出力はハイインピーダンスになる。
【０１３８】
なお、本実施形態においては、受信した複数の描画情報のすべてが選択無を示している場合、複数の時分割線と、複数のデータ線との両方をハイインピーダンスにする場合について説明した。但し、複数の時分割線と、複数のデータ線との少なくとも一方をハイインピーダンスにしてもよい。
【０１３９】
このように本実施形態において駆動回路は、受信した複数の描画情報のすべてが選択無を示している場合、複数の時分割線および複数のデータ線の電圧値を変化させないようにする。
【０１４０】
より具体的には、駆動回路は、受信した複数の描画情報のすべてが選択無を示している場合、複数の時分割線と、複数のデータ線との少なくとも一方をハイインピーダンスにする。
【０１４１】
これにより、電力が必要以上に消費されるのを回避することが可能となる。
【符号の説明】
【０１４２】
５１    飛翔液滴
１００    インクジェットプリンタ
１１０    制御基板
１１１    駆動電圧電源
１１２    描画データ生成部
１１３    制御部
１１４    モータ制御部
１２０    記録ヘッド
１２１    駆動回路
１２１−１，２２１−１，３２１−１    シフトレジスタ
１２１−２，２２１−２，３２１−２    ラッチ
１２１−３，２２１−３，３２１−３    デコーダ
１２１−４，２２１−４，３２１−４    時分割線駆動スイッチ部
１２１−５，２２１−５，３２１−５    データ線駆動スイッチ部
１２１−６，２２１−６，３２１−６    判定部
１２２    ノズルユニット
１２２−１    ハウジング
１２２−２    圧電素子
１２２−３    電極
１２２−４    引き出し配線
１２２−５    振動版
１２２−６    圧力室
１２２−７    オリフィスプレート
１２２−８    ノズル孔
１３０    駆動モータ
２２１−７，３２１−７    スイッチ部
５００    入力装置
【図１】
2013046974.tif 000003
【図２】
2013046974.tif 000004
【図３】
2013046974.tif 000005
【図４】
2013046974.tif 000006
【図５】
2013046974.tif 000007
【図６】
2013046974.tif 000008
【図７】
2013046974.tif 000009
【図８】
2013046974.tif 000010
【図９】
2013046974.tif 000011
【図１０】
2013046974.tif 000012